(57)【要約】【課題】白熱クリア電球が点灯しているようなきらめき感を再現できるとともに、光取出効率が高く、明るさを向上できる照明装置を提供する。【解決手段】照明装置としてのランプ装置10は、発光部28、光放射カバー15および反射面部40a，40bを備える。光放射カバー15は、カバー本体48、導光空間51および光取出部52を有する。カバー本体48は、透明で、発光部28を覆う。導光空間51は、発光部28に対向するとともに発光部28からの光軸方向に沿って凹状にカバー本体48に設けられる。光取出部52は、導光空間51の先端側に設けられ、光を導光空間51からカバー本体48側に取り出す。反射面部40a，40bは、導光空間51の周囲で光取出部52よりも発光部28側に設けられる。【選択図】図１
2017174775.tif 000002
【特許請求の範囲】
【請求項１】
発光部と；
前記発光部を覆う透明なカバー本体、前記発光部に対向するとともに前記発光部からの光軸方向に沿って凹状に前記カバー本体に設けられた導光空間、およびこの導光空間の先端側に設けられ光を前記導光空間から前記カバー本体側に取り出す光取出部を有する光放射カバーと；
前記カバーの前記導光空間の周囲で前記光取出部よりも前記発光部側に設けられる反射面部と；
を具備することを特徴とする照明装置。
【請求項２】
前記反射面部は、前記導光空間の内壁面に設けられている
ことを特徴とする請求項１記載の照明装置。
【請求項３】
内周面に前記反射面部が設けられた反射体を具備する
ことを特徴とする請求項１または２記載の照明装置。
【発明の詳細な説明】
【技術分野】
【０００１】
本発明の実施形態は、光を放射する照明装置に関する。
【背景技術】
【０００２】
従来、透明なガラスグローブを用い、フィラメントが直接見える白熱クリア電球がある。この白熱クリア電球の点灯時には、ガラスグローブを透過して直接見えるフィラメントから強い光が出ることで、きらめき感が得られ、照明の演出効果が得られる。
【０００３】
また、筐体の一端側に、発光部を配設するとともに、この発光部を覆う透明なカバーを配設し、さらに、発光部に対向するレンズをカバー内に突出させた照明装置がある。
【０００４】
このようなレンズを用いた照明装置では、白熱クリア電球が点灯しているようなきらめき感を再現することが難しい。
【０００５】
さらに、発光部が発生する熱でレンズが劣化するおそれがあるため、レンズを発光部から離反させ、発光部とレンズとの間に隙間を設ける必要がある。発光部とレンズとの間に隙間を設けることにより、発光部から放出された光が隙間から漏れ、光取出効率が低下して、所望の明るさが得られない。
【先行技術文献】
【特許文献】
【０００６】
【特許文献１】特開２０１１−１４２０６０号公報
【発明の概要】
【発明が解決しようとする課題】
【０００７】
本発明が解決しようとする課題は、白熱クリア電球が点灯しているようなきらめき感を再現できるとともに、光取出効率が高く、明るさを向上できる照明装置を提供することである。
【課題を解決するための手段】
【０００８】
実施形態の照明装置は、発光部、光放射カバーおよび反射面部を備える。光放射カバーは、カバー本体、導光空間および光取出部を有する。カバー本体は、透明で、発光部を覆う。導光空間は、発光部に対向するとともに発光部からの光軸方向に沿って凹状にカバー本体に設けられる。光取出部は、導光空間の先端側に設けられ、光を導光空間からカバー本体側に取り出す。反射面部は、導光空間の周囲で光取出部よりも発光部側に設けられる。
【発明の効果】
【０００９】
本発明によれば、白熱クリア電球が点灯しているようなきらめき感が再現されるとともに、光取出効率が高く、明るさが向上した照明装置を提供することが期待できる。
【図面の簡単な説明】
【００１０】
【図１】第１の実施形態を示すランプ装置の断面図である。
【図２】同上ランプ装置の側面図である。
【図３】同上ランプ装置の分解斜視図である。
【図４】同上カバーの斜視図である。
【図５】第２の実施形態を示すランプ装置の断面図である。
【発明を実施するための形態】
【００１１】
以下、第１の実施形態を、図１ないし図４を参照して説明する。
【００１２】
図１ないし図４に、照明装置としてランプ装置10を示す。ランプ装置10は、一般照明用白熱電球用のソケットに装着して使用可能な電球形ランプであって、比較的小形のミニクリプトン電球形ランプである。
【００１３】
ランプ装置10は、筐体11を備えている。この筐体11の一端側に、放熱板12、発光モジュール13、絶縁カバー14、および光放射カバー15が配設され、また、筐体11の内部にケース16および電源部17が配設され、また、筐体11の他端側に給電部18が配置されている。なお、ランプ装置10は、光放射カバー15から給電部18に亘って仮想の中心軸（ランプ軸）を有し、その中心軸の光放射カバー15側を一端側、給電部18側を他端側という。
【００１４】
そして、筐体11は、例えば金属材料によって形成されている。例えば、筐体11はアルミダイカスト製である。筐体11は、一端側の径が他端側の径よりも大きく、一端側から他端側に向けて縮径する円筒状に形成されている。筐体11の内部には、一端および他端に開口する空洞部が形成されている。筐体11の一端面には、放熱板12の周辺部が載置される載置面22が形成され、この載置面22に絶縁カバー14、発光モジュール13および放熱板12を一体に共締め固定する複数の固定ねじが螺着されるように構成されている。載置面22の周辺には、光放射カバー15を取り付けるための環状の取付縁部23が設けられている。
【００１５】
また、図１ないし図３に示すように、放熱板12は、例えばアルミニウムなどの金属材料によって略円板状に形成されている。放熱板12の一端面に発光モジュール13が熱伝導可能に接触され、放熱板12の他端面の周辺部が筐体11の載置面22に載置されて熱伝導可能に接触される。放熱板12の周辺部には、固定ねじが挿通する挿通溝が形成されているとともに、発光モジュール13と電源部17とを電気的に接続するための配線を通す配線溝などが形成されている。
【００１６】
また、発光モジュール13は、基板27、およびこの基板27の表面に設けられた発光部28を有している。本実施の形態では、ＣＯＢ（Chip On Board）モジュールが用いられている。この発光モジュール13は、基板27、この基板27に実装された複数の発光素子（ＬＥＤチップ）29、これら発光素子29の周囲を囲む枠部30、および枠部30内に発光素子29を封止するように充填された蛍光体層31を備えている。そして、蛍光素子29および蛍光体層31が発光部28として構成されている。発光部28の表面は、外観上円形をなしている。
【００１７】
基板27は、平板状で、一端面には複数の発光素子29を電気的に接続する配線パターンが形成されている。基板27は、絶縁材料または金属材料で形成されている。基板27が金属材料の場合には、基板27の表面に絶縁膜が形成され、この絶縁膜上に配線パターンが形成されている。また、基板27の一端面の中央に発光部28が配設され、基板27の一端面の周辺部にコネクタやコンデンサなどの電気部品32が実装されている。これら電気部品32も配線パターンに電気的に接続されている。
【００１８】
なお、発光部28は、表面実装形のＬＥＤパッケージ、あるいはＬＥＤ以外の例えば有機ＥＬなどで構成してもよい。
【００１９】
また、絶縁カバー14は、絶縁性を有するとともに光不透過性あるいは光拡散性を有し、さらに、耐熱性を有する樹脂材料によって形成されている。絶縁カバー14は、筐体11の一端側に取り付けられて、その筐体11の一端側および発光モジュール13の基板27などを覆う。
【００２０】
絶縁カバー14は、中央側が一端側に突出する円錐状のカバー部36を有している。カバー部36の中央には他端側に突出する円筒状の筒部37が形成され、この筒部37の内側に発光部28に対向する円形の開口部38が形成されている。
【００２１】
筒部37の内周面には、他端側から一端側へ向けて拡径する傾斜面39が形成されている。傾斜面39には、発光部28から光を光軸方向に向けて反射させる反射面部40aが形成されている。反射面部40aは、例えば、鏡面や金属膜を蒸着した面など、光反射率の高い面に形成されている。したがって、絶縁カバー14は、発光部28からの光を反射する反射体41と兼用されている。
【００２２】
絶縁カバー14の周辺部には、複数の固定ねじがそれぞれ挿通される複数の挿通孔42が形成されている。
【００２３】
絶縁カバー14の他端側には、発光モジュール13の基板27に嵌合して筐体11側に押える押え部43が形成されている。絶縁カバー14の他端側の面と基板27との間には、電気部品32を収容する収容空間44が形成されている。
【００２４】
また、光放射カバー15は、例えば光透過率が９５％以上の透明な材料によって形成されたカバー本体48を有している。カバー本体48の透明な材料としては、樹脂やガラスが用いられる。なお、カバー本体48は、例えばパール材などの微細な拡散性物質を、光放射カバー15の透明性が確保される範囲で微量含有していてもよい。
【００２５】
カバー本体48の表面には、筐体11の一端側に連続するように半球形状に形成された表面部49が形成されている。
【００２６】
カバー本体48の他端側の面には、発光部28に対向するとともに発光部28からの光軸方向に沿って凹部50が形成され、この凹部50によって導光空間51が形成されている。すなわち、カバー本体48には、発光部28に対向するとともに発光部28からの光軸方向に沿って凹状の導光空間51が形成されている。導光空間51には、発光部28からの光が入射する。
【００２７】
導光空間51（凹部50）は、他端側から一端側に向かって縮径する円錐状に形成されている。
【００２８】
導光空間51（凹部50）の先端側（一端側）には、導光空間51に導かれる光をカバー本体48に入射させて取り出す光取出部52が形成されている。光取出部52は、カバー本体48の略中央域に位置されている。光取出部52は、導光空間51（凹部50）の内壁面に形成された拡散面53を有している。拡散面53には、連続した細やかな凹凸、あるいは非連続的な凹凸、あるいは細かく連続したレンズなどが含まれる。拡散面53により、導光空間51に導かれる発光部28からの光をカバー本体48に入射させる。
【００２９】
カバー本体48の他端側の面には、導光空間51（凹部50）の他端側からカバー本体48の他端側周辺部に亘って傾斜する傾斜面54が形成されている。傾斜面54は、絶縁カバー14のカバー部36の表面に対向されている。
【００３０】
カバー本体48の他端側には、筐体11の取付縁部23の内側に嵌合されて例えばシリコーン接着剤等で接着固定される固定部（図示せず）が突設されている。
【００３１】
そして、導光空間51の周囲で光取出部52よりも発光部28側に、絶縁カバー14（反射体41）の反射面部40aが配設されている。反射面部40aにより、発光部28から入射する光を導光空間51の光取出部52へ向けて反射させ、光取出部52から取り出される光を増加させるとともに、発光部28から光軸方向に交差する側方へ向かう光を遮光する。
【００３２】
さらに、導光空間51（凹部50）の内壁面や傾斜面53にも、光取出部52よりも発光部28側に反射面部40bを設けてもよい。反射面部40bは、例えば、鏡面や金属膜を蒸着した面など、光反射率の高い面である。反射面部40bにより、発光部28から入射する光を導光空間51の光取出部52へ向けて反射させ、光取出部52から取り出される光を増加させるとともに、光取出部52以外から外部に放射される光を低減する。
【００３３】
また、ケース16は、絶縁性を有する樹脂材料によって円筒状に形成されている。ケース16は筐体11に一端側から挿入され、筐体11の他端側から突出するケース16の他端側に固定リング57が取り付けられることにより、ケース16が筐体11に固定される。ケース16の他端側には給電部18が取り付けられる。
【００３４】
また、電源部17は、給電部18から入力する交流電源を所定の直流電源に変換して発光モジュール13に供給する。電源部17は、電源基板61、およびこの電源基板61に実装された複数の電源部品を有している。電源基板61は、ケース16の一端側から挿入され、ケース16内に保持されている。そして、電源部17の交流電源の一対の入力部は配線によって給電部18に電気的に接続され、電源部17の直流電源の一対の出力部は配線によって発光モジュール13のコネクタに電気的に接続されている。
【００３５】
また、給電部18は、例えばＥ１７などの一般照明白熱電球用のソケットに接続可能な口金が用いられている。なお、給電部18は、口金に限らず、ランプ種類によっては一対のピンでもよい。
【００３６】
そして、第１の実施形態のランプ装置10の動作を説明する。
【００３７】
ランプ装置10は、給電部18を照明装置の一般照明用白熱電球用のソケットに接続して使用する。
【００３８】
交流電源がソケットを通じてランプ装置10に供給されると、電源部17が交流電源を所定の直流電源に変換して発光モジュール13に供給する。これにより、発光モジュール13の発光部28から光が放射される。
【００３９】
発光部28から放射される光は、主として光軸方向に向かい、絶縁カバー14の開口部38を通過して光放射カバー15の導光空間51に進行し、導光空間51の先端の光取出部52に入射する。光取出部52に入射した光は、拡散面53で拡散されてカバー本体48内に入射し、カバー本体48の表面部49から照明空間に放射される。光取出部52が点光源となり、この点光源となる光取出部52から強い光が広い範囲に放射される。
【００４０】
したがって、発光部28からの光が光取出部52に直接入射して光放射カバー15の表面から放射されるため、光損失が少なく、光取出効率が向上し、点光源となる光取出部52から強い光が放射される。そのため、このランプ装置10を見たとき、きらめき感を得られやすい。
【００４１】
また、導光空間51の周囲で光取出部52よりも発光部28側に配設された絶縁カバー14（反射体41）の反射面部40aにより、発光部28から光軸方向に対して交差する側方へ向かう光を導光空間51の光取出部52へ向けて反射させ、光取出部52から取り出される光を増加させるとともに、発光部28から光軸方向に対して交差する側方へ向かう光を遮光する。
【００４２】
さらに、導光空間51（凹部50）の内壁面や傾斜面53にも、光取出部52よりも発光部28側に反射面部40bを設けている場合、この反射面部40bにより、発光部28または反射面部40aから光軸方向に対して交差する側方へ向かう光を光取出部52へ向けて反射させ、光取出部52から取り出される光を増加させるとともに、光取出部52以外から外部に放射される光を低減する。
【００４３】
したがって、反射面部40a、さらには反射面部40bによって、光軸方向に対して交差する側方へ向かう光を光取出部52へ向けて反射させるため、光損失が少なく、光取出効率が向上し、点光源となる光取出部52から強い光が放射されるとともに、光取出部52以外から外部に放射される光が低減される。そのため、点光源となる光取出部52のみから強い光が放射されやすくなり、このランプ装置10を見たときのきらめき感がより得られやすくなる。
【００４４】
このように、本実施形態のランプ装置10では、白熱クリア電球が点灯しているようなきらめき感を再現できるとともに、光取出効率が高く、明るさを向上できる。
【００４５】
しかも、光放射カバー15が発光部28から離れるため、発光部28の熱による光放射カバー15の劣化を低減できる。
【００４６】
なお、光放射カバー15の表面部49の形状は、球形に限らず、例えば先端方向に尖ったキャンドル形や、その他の形状でもよい。いずれの形状の場合でも、点光源となる光取出部52が光り、きらめき感を再現することができる。
【００４７】
また、導光空間51の周囲で光取出部52よりも発光部28側に、反射面部を有する円筒状の反射体を配設してもよい。すなわち、光取出部52と発光部28との間に、反射面部を有する円筒状の反射体を配設してもよい。この場合、反射体の外周側においては、光放射カバー15の部分を空洞とすることができるため、光放射カバー15の材料使用量を削減し、ランプ装置10を軽量化することができる。
【００４８】
次に、図５に第２の実施形態を示す。なお、第１の実施形態と同じ構成については、同じ符号を用いてその構成および作用効果の説明を省略する。
【００４９】
第２の実施形態のランプ装置10は、第１の実施形態に対して、光放射カバー15の形状が異なる。
【００５０】
光放射カバー15の表面部49には、頂部に円錐状の窪み部70が形成されて、この窪み部70の内面に面71が形成され、さらに、周囲に複数の面72，73が形成されている。したがって、光放射カバー15の表面部49は、多面体で構成されている。
【００５１】
導光空間51の先端側の光取出部52には、発光部28に対向して円錐状の突部74が突設されている。この突部74の周面に複数の面75が形成されており、突部74が多面体で構成されている。
【００５２】
そして、ランプ装置10の点灯時、発光部28から光軸方向に放射された光は、光取出部52に入射し、一部は突部74の複数の面75に入射する。突部74の複数の面75に入射した光は各面75に応じた方向にカバー本体48内を進み、カバー本体48の表面部49の複数の面71〜73から照明空間に放射される。さらに、カバー本体48に入射した一部の光はカバー本体48内で反射を繰り返してから放射される。
【００５３】
カバー本体48の表面部49の複数の面71〜73から放射される光は、広い範囲に照射され、給電部18の方向にも放射される。
【００５４】
このように、光放射カバー15を多面体で構成することにより、きらめき感を再現できるとともに、広い配光を得ることができる。
【００５５】
なお、照明装置としては、ランプ装置10に限らず、例えばランタンや懐中電燈でもよく、さらに、ペンダントやダウンライトでもよい。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明装置としてのランプ装置
15    光放射カバー
28    発光部
40a，40b    反射面部
41    反射体
48    カバー本体
51    導光空間
52    光取出部
【図１】
2017174775.tif 000003
【図２】
2017174775.tif 000004
【図３】
2017174775.tif 000005
【図４】
2017174775.tif 000006
【図５】
2017174775.tif 000007